(57)【要約】【目的】  ユーザーに格別の興趣や高級感を与えることができるペット用の分骨壷、及び、ユーザーに格別の興趣や高級感を与えることができると共に位牌と分骨壷を別々に設置する煩雑さを回避することができるペット用の位牌付き分骨壷を提供する。【構成】  本考案のペット用分骨壷においては、ガラス製容器と、ガラス製蓋部とから成り、ガラス製蓋部には、ペットの映像（写真を含む）もしくは肖像が自らを透過してその正面側から見えるようにその背面側に表示もしくは貼り付けられている。また本考案のペット用位牌付き分骨壷においては、ガラス製容器と、ガラス製蓋部と、前記蓋部の上面に固定された透明ガラス製位牌部とから成り、透明ガラス製位牌部には、ペットの映像（写真を含む）もしくは肖像が自らを通してその正面側から見えるようにその背面側に表示もしくは貼り付けられている。【選択図】    図１
0003156684.tif 000002
【実用新案登録請求の範囲】
【請求項１】
平面がハート形や星形などの所定の形状に形成された開口部を有している、ペットの分骨を収容可能なガラス製容器と、
前記容器の開口部と嵌め合わせ可能な外周部を有し、平面がハート形や星形などの所定の形状に形成されているガラス製蓋部と、
前記蓋部の上面に固定された略円板状、略楕円板状、もしくは略多角形板状の透明ガラス製位牌部であって、ペットの名前がサンドブラスト加工により彫られ若しくは表示されており、ペットの映像もしくは肖像が、それが自らを透過してその正面側から見えるように、自らの背面側に表示もしくは貼り付けられている、透明ガラス製位牌部と、
を備えたことを特徴とする、ペット用の位牌付き分骨壷。
【請求項２】
平面がハート形や星形などの所定の形状に形成された開口部を有している、ペットの分骨を収容可能なガラス製容器と、
前記容器の開口部と嵌め合わせ可能な外周部を有し、平面がハート形や星形などの所定の形状に形成されている透明ガラス製蓋部であって、ペットの名前がサンドブラスト加工により彫られ若しくは表示されており、ペットの映像もしくは肖像が、それが自らを透過してその表面側から見えるように、自らの裏面側に表示もしくは貼り付けられている、透明ガラス製蓋部と、
を備えたことを特徴とする、ペット用の分骨壷。
【考案の詳細な説明】
【技術分野】
【０００１】
本考案はペット用の分骨壷および位牌付き分骨壷に関する。
【背景技術】
【０００２】
従来より、死亡したペットの供養のためのペット用の分骨壷やペット用の位牌が市販・提供されている。例えば、特許文献１は、平面が円形状の容器の上部（蓋部）にペットの写真と名前を彫刻や印刷により表示して成る分骨壷を提案している。
【先行技術文献】
【特許文献】
【０００３】
【特許文献１】実用新案登録第３０９３６５１号公報
【考案の概要】
【考案が解決しようとする課題】
【０００４】
しかしながら、上記特許文献１などの従来のペット用の分骨壷は、いずれも、陶磁器製又はプラスチック製の容器から成っており、ペットの写真と名前にしても、単にその容器の上部（蓋部）の表面にそれらを彫刻や印刷しているだけで、それ以上に格別な興趣をユーザーに与えることは全く期待できなかった。
【０００５】
また、従来のペット用位牌においても、単に木製、陶磁器製、又はプラスチック製の板の表面にペットの写真と名前が彫刻や印刷されて成る位牌が提案されているだけで、それ以上に格別な興趣をユーザーに与えることは全く期待できなかった。また、従来は、ペット用の位牌とペット用の分骨壷とを別々に購入して祭壇などに載置する必要があり煩雑な面があったが、これに対する改善策は全く発想されていなかった。
【０００６】
本考案はこのような従来技術の問題点に着目してなされたものであって、ユーザーに格別の興趣や高級感を与えることができるペット用の分骨壷、及び、ユーザーに格別の興趣や高級感を与えることができると共に位牌と分骨壷とを別々に購入したり設置したりする煩雑さを回避することができるペット用の位牌付き分骨壷を提供することを目的とする。
【課題を解決するための手段】
【０００７】
以上のような課題を解決するための本考案によるペット用の位牌付き分骨壷は、平面がハート形や星形などの所定の形状に形成された開口部を有している、ペットの分骨を収容可能なガラス製容器と、前記容器の開口部と嵌め合わせ可能な外周部を有し、平面がハート形や星形などの所定の形状に形成されているガラス製蓋部と、前記蓋部の上面に固定された略円板状、略楕円板状、もしくは略多角形板状の透明ガラス製位牌部であって、ペットの名前がサンドブラスト加工により彫られ若しくは表示されており、ペットの映像（写真を含む）もしくは肖像が、それが自ら（透明ガラス製位牌部）を透過してその正面側から見えるように、自ら（透明ガラス製位牌部）の背面側に表示もしくは貼り付けられている、透明ガラス製位牌部と、を備えたことを特徴とするものである。
【０００８】
また、本考案によるペット用の分骨壷は、平面がハート形や星形などの所定の形状に形成された開口部を有している、ペットの分骨を収容可能なガラス製容器と、前記容器の開口部と嵌め合わせ可能な外周部を有し、平面がハート形や星形などの所定の形状に形成されている透明ガラス製蓋部であって、ペットの名前がサンドブラスト加工により彫られ若しくは表示されており、ペットの映像（写真を含む）もしくは肖像が、それが自ら（透明ガラス製蓋部）を透過してその表面側から見えるように、自ら（透明ガラス製蓋部）の裏面側に表示もしくは貼り付けられている、透明ガラス製蓋部と、を備えたことを特徴とするものである。
【考案の効果】
【０００９】
本考案によるペット用の位牌付き分骨壷においては、ペットの分骨を収容可能な分骨壷の容器の上方開口部に配置されるガラス製蓋部の上面に透明ガラス製位牌部を略垂直方向に（例えば透明両面テープや透明接着剤などにより）固定し、前記透明ガラス製位牌部に、死亡したペットの名前をサンドブラスト加工により彫る若しくは表示し、且つ、死亡したペットの映像（写真を含む）もしくは肖像を、それが前記透明ガラス製位牌部を透過してその表面側から見えるように、前記透明ガラス製位牌部の裏面側に表示もしくは貼り付けるようにしている。したがって、本考案によれば、この透明ガラス製位牌部を見るユーザーに対して、（死亡したペットの映像や肖像が前記透明のガラス製位牌部を透過して見えることを通じて）格別の興趣と高級感を感じさせることができると共に、従来のように位牌と分骨壷とを別々に購入・設置する煩雑さを回避することができるようになる。
【００１０】
また、本考案によるペット用の分骨壷においては、ペットの分骨を収容可能な分骨壷の容器の上方開口部に配置される透明ガラス製蓋部に、死亡したペットの名前をサンドブラスト加工により彫る若しくは表示し、ペットの映像（写真を含む）もしくは肖像を、それが前記透明ガラス製蓋部を透過してその前記透明ガラス製蓋部の表面側から見えるように、前記透明ガラス製蓋部の裏面側に表示もしくは貼り付けるようにしている。したがって、本考案によれば、この分骨壷を見るユーザーに対して、（死亡したペットの映像や肖像が前記透明のガラス製蓋部を透過して見えることを通じて）格別の興趣と高級感を感じさせることができる。
【図面の簡単な説明】
【００１１】
【図１】本考案の実施例１に係るペット用の位牌付き分骨壷を正面側から見たときの斜視図である。
【図２】本実施例１の蓋部を本体部から取り外した状態を示す斜視図である。
【図３】（ａ）は本実施例１を背面側から見たときの斜視図、（ｂ）は本実施例１の位牌部を側方から見たときの中央断面図である。
【図４】本実施例１の蓋部と位牌部を蓋部の裏面（底面）側から見たときの斜視図である。
【図５】本実施例１の本体部の裏面（底面）側を示す斜視図である。
【図６】本考案の実施例２に係るペット用の分骨壷を示す斜視図である。
【図７】本実施例２の蓋部を本体部から外した状態を示す斜視図である。
【図８】（ａ）は本実施例２の蓋部の裏面（底面）側を示す斜視図、（ｂ）は本実施例２の本体部の裏面（底面）側を示す斜視図である。
【考案を実施するための形態】
【００１２】
本考案を実施するための最良の形態は、以下の実施例１について述べるような形態である。
【実施例１】
【００１３】
本考案の実施例１に係るペット用の位牌付き分骨壷を、図１〜５を参照して説明する。図１は実施例１に係るペット用の位牌付き分骨壷を正面側から見たときの斜視図、図２は本実施例１の蓋部を本体部から取り外した状態を示す斜視図、図３は本実施例１を背面側から見たときの斜視図、図４は本実施例１の蓋部と位牌部を蓋部の裏面側から見たときの斜視図、図５は本実施例１の本体部の裏面（底面）を示す斜視図である。
【００１４】
図１〜５において、１は死亡したペットの分骨を収容するための透明ガラス製の容器である本体部（その内面側はサンドブラスト加工により擦りガラス状に形成されている）、２はこの本体部１の上方の開口部１ａ（図２参照）を塞ぐための透明ガラス製の蓋部、３はこの蓋部２の表面の略中央部に例えば透明の両面テープ４（図４参照）により固定された透明ガラス製で略円板状の位牌部、である。なお、前記略円板状の位牌部３の下端部の前記透明の両面テープ４（図４参照）が貼り付けられる部分は、平面状に切断された切り欠き部３ａ（図４参照）となっている。
【００１５】
本実施例１においては、前記蓋部２は、前記本体部１の開口部１ａの外周部１ｂ（図２参照）と嵌め合わせ可能な外周部２ａ（図４参照）を備えている。また、前記本体部１の裏面（底面）１ｃ（図５参照）には、死亡したペットの名前と死亡年月日が、サンドブラスト加工により彫られている（図５の符号５で示す部分を参照）。また、本実施例１では、前記位牌部３の正面側にも、死亡したペットの名前と死亡年月日が、サンドブラスト加工により彫られている（図１や図２の符号６で示す部分を参照）。
【００１６】
また、本実施例１では、前記位牌部３の背面側に、ペットの写真（紙）８が、その写真８に表示された映像７が正面側に向かうように、固定されている。具体的には、図３（ｂ）に示すように、前記写真８は、その映像７を示す側の面が前記位牌部３の背面の略中央より少し上方の部分に当接するように配置され、その上から、前記位牌部３の背面の略全体（前記写真８とその外周部を含む部分）の上に、円形の黒色の粘着フィルム９（図３（ａ）参照）が貼り付けられ、その結果として、前記写真８が前記位牌部３の背面に強力に固定されている（なお、図３（ｂ）では、図示の都合上、写真８と黒色の粘着フィルム９の厚さを大きく表示しているが、実際には写真８と黒色の粘着フィルム９は極めて薄いものである）。そして、前記写真８がこのように（前記映像７が前記位牌部３の背面側から正面側に向かうように）固定されている結果、本実施例１では、前記写真８に表示されたペットの映像７が、前記位牌部３の正面側から、前記透明なガラス製の位牌部３を透過して、ユーザーに見えるようになっている（図１など参照）。
【００１７】
以上のように、本実施例１においては、ペットの分骨を収容可能な容器の本体部１とその蓋部２とその上に固定される位牌部３とを全て透明ガラスにより形成し、さらに、前記透明ガラス製の位牌部３の正面側に死亡したペットの名前６をサンドブラスト加工により彫ると共に、死亡したペットの写真（紙）８を、その映像７が前記透明のガラス製位牌部３を透過してその正面側から見えるように、前記位牌部３の背面側に固定するようにしているので、前記位牌部３を見るユーザーにとっては、（前述のように死亡したペットの映像７が前記透明のガラス製位牌部３を透過して見えることを通じて）格別の興趣と高級感を感じられるようになると共に、従来のように位牌と分骨壷を別々に購入・設置する煩雑さを回避することができるようになる。
【実施例２】
【００１８】
次に、本考案の実施例２によるペット用の分骨壷を図６〜８を参照して説明する。図６は本実施例２のペット用の分骨壷を示す斜視図、図７は本実施例２の蓋部を本体部から外した状態を示す斜視図、図８（ａ）本実施例２の蓋部の裏面（底面）側を示す斜視図、（ｂ）は本実施例２の本体部の裏面（底面）側を示す斜視図である。
【００１９】
図６〜８において、１１は死亡したペットの分骨を収容するための透明ガラス製の容器である本体部（その内面側はサンドブラスト加工により擦りガラス状に形成されている）、１２はこの本体部１１の上方の開口部１１ａ（図７参照）を塞ぐための透明ガラス製の蓋部、である。
【００２０】
本実施例２においては、前記蓋部１２は、前記本体部１１の開口部１１ａの外周部１１ｂ（図７参照）と嵌め合わせ可能な外周部１２ａ（図８参照）を備えている。また、前記本体部１１の裏面１１ｃ（図８参照）には、死亡したペットの名前と死亡年月日が、サンドブラスト加工により彫られている（図８の符号１５で示す部分を参照）。また、本実施例２では、前記蓋部１２の表面にも、死亡したペットの名前と死亡年月日が、サンドブラスト加工により彫られている（図６や図７の符号１６で示す部分を参照）。
【００２１】
また、本実施例２では、前記蓋部１２の裏面に、ペットの写真（紙）１８が、その写真１８に表示された映像１７（図６，図７参照）が表面側に向かうように、透明な糊や接着剤などの固定手段により固定されている（図８（ａ）の符号１８は写真の裏面側を示している）。そして、前記写真１８がこのように（前記映像１７が前記蓋部１２の裏面側から表面側に向かうように）固定されている結果、本実施例２では、前記蓋部１２の表面側から、前記写真１８に表示されたペットの映像１７が、前記透明なガラス製の蓋部１２を透過して、ユーザーに見えるようになっている（図６，図７参照）。
【００２２】
以上のように、本実施例２によるペット用の分骨壷においては、ペットの分骨を収容可能な分骨壷用の容器である本体部１１の上方開口部１１ａに配置される透明ガラス製蓋部１２に、死亡したペットの名前１６をサンドブラスト加工により彫ると共に、ペットの写真１８の映像１７を、それが前記透明ガラス製蓋部１２を透過してその前記透明ガラス製蓋部１２の表面側から見えるように、前記透明ガラス製蓋部１２の裏面側に貼り付けるようにしているので、前記分骨壷を見るユーザーに対して、（死亡したペットの映像１７が前記透明のガラス製蓋部１２を透過して見えることを通じて）格別の興趣と高級感を感じさせることができるようになる。
【００２３】
以上、本考案の各実施例について説明したが、本考案及び本考案を構成する各構成要件は、それぞれ、前記の各実施例及び前記の各実施例を構成する各要素として述べたものに限定されるものではなく、様々な修正及び変更が可能である。例えば、前記実施例１，２においては、前記写真８，１８を、それが表示する映像７，１７が前記位牌部３又は蓋部１２の背面側（裏面側）から正面側（表面側）に向かうように固定しているが、本考案ではこれに限られるものではなく、ペットの肖像（似顔絵やイラスト）を示す紙などを、それが表示する肖像が前記位牌部３又は蓋部１２の背面側（裏面側）から正面側（表面側）に向かうように固定してもよい。また、前記本実施例１においては、前記位牌部３を前記蓋部２に固定するために透明な両面テープ４（図４参照）を使用しているが、本考案では前記透明な両面テープ４に代えて透明な接着剤などを使用してもよいことはもちろんである。また、前記実施例１では、円形の黒色の粘着フィルム９を使用して、前記写真８を前記位牌部３の背面側に固定するようにしているが、本考案では透明な糊や接着剤などを使用して前記写真８の表面側を前記位牌部３の背面側に固定するようにしてもよい。
【符号の説明】
【００２４】
１，１１             本体部
１ａ，１１ａ     開口部
１ｂ，１１ｂ     外周部
２，１２             蓋部
２ａ，１２ａ     外周部
３          位牌部
３ａ      切り欠き部
４          透明な両面テープ
７，１７             ペットの映像
８，１８             写真
９          粘着テープ
１１ａ  開口部
１１ｂ  外周部
１１ｃ  蓋部の裏面
１６      ペットの名前
【図１】
0003156684.tif 000003
【図２】
0003156684.tif 000004
【図３】
0003156684.tif 000005
【図４】
0003156684.tif 000006
【図５】
0003156684.tif 000007
【図６】
0003156684.tif 000008
【図７】
0003156684.tif 000009
【図８】
0003156684.tif 000010